【手続補正書】
【提出日】平成29年3月14日(2017.3.14)
【手続補正１】
【補正対象書類名】明細書
【補正対象項目名】発明の名称
【補正方法】変更
【補正の内容】
【発明の名称】印刷装置及びその制御方法、並びにプログラム
【手続補正２】
【補正対象書類名】明細書
【補正対象項目名】０００１
【補正方法】変更
【補正の内容】
【０００１】
本発明は、印刷装置及びその制御方法、並びにプログラムに関する。
【手続補正３】
【補正対象書類名】明細書
【補正対象項目名】００１２
【補正方法】変更
【補正の内容】
【００１２】
本発明の目的は、外部機器への給電と情報処理とを両立させた印刷装置及びその制御方法、並びにプログラムを提供することにある。
【手続補正４】
【補正対象書類名】明細書
【補正対象項目名】００１３
【補正方法】変更
【補正の内容】
【００１３】
上記目的を達成するために、請求項１の印刷装置は、外部装置に電力を供給する印刷装置であって、前記印刷装置の状態に基づいて、前記外部装置に通知すべき給電能力を決定する決定手段と、前記決定手段によって決定された前記給電能力を前記外部装置に通知する通知手段とを備え、前記給電能力は、供給電圧と供給電流との組み合わせを複数示し、前記印刷装置は、前記複数の組み合わせの中から前記外部装置によって選択された組み合わせに基づいて前記外部装置に電力を供給することを特徴とする。
さらに、上記目的を達成するために、請求項６の印刷装置は、印刷を実行する印刷手段と、外部装置に電力を供給する電力供給手段とを備え、前記電力供給手段が前記外部装置へ電力を供給中に前記印刷装置が印刷指示を受けた場合に、前記電力供給手段は、前記外部装置に供給する電力を減らし、前記外部装置に供給する電力を減らした後に、前記印刷手段は、前記印刷指示に基づく印刷を実行することを特徴とする。
さらに、上記目的を達成するために、請求項８の印刷装置は、印刷を実行する印刷手段と、外部装置に電力を供給する電力供給手段とを備え、前記電力供給手段が前記外部装置へ電力を供給中に前記印刷装置が印刷指示を受けた場合に、前記電力供給手段は、前記外部装置への電力供給を停止し、前記外部装置への電力供給を停止した後に、前記印刷手段は、前記印刷指示に基づく印刷を実行することを特徴とする。
【手続補正５】
【補正対象書類名】特許請求の範囲
【補正対象項目名】全文
【補正方法】変更
【補正の内容】
【特許請求の範囲】
【請求項１】
外部装置に電力を供給する印刷装置であって、
前記印刷装置の状態に基づいて、前記外部装置に通知すべき給電能力を決定する決定手段と、
前記決定手段によって決定された前記給電能力を前記外部装置に通知する通知手段とを備え、
前記給電能力は、供給電圧と供給電流との組み合わせを複数示し、
前記印刷装置は、前記複数の組み合わせの中から前記外部装置によって選択された組み合わせに基づいて前記外部装置に電力を供給することを特徴とする印刷装置。
【請求項２】
前記印刷装置の状態には、スリープ状態が少なくとも含まれることを特徴とする請求項１に記載の印刷装置。
【請求項３】
前記印刷装置の状態には、プリント状態とスリープ状態とが少なくとも含まれ、
前記印刷装置の状態が前記プリント状態である場合、前記決定手段は、第１の給電能力を前記外部装置に通知すると決定し、
前記印刷装置の状態が前記スリープ状態である場合、前記決定手段は、第２の給電能力を前記外部装置に通知すると決定し、
前記第１の給電能力が示す組み合わせの数と、前記第２の給電能力が示す組み合わせの数は異なることを特徴とする請求項１に記載の印刷装置。
【請求項４】
前記第２の給電能力が示す組み合わせの数は、前記第１の給電能力が示す組み合わせの数より多いことを特徴とする請求項３に記載の印刷装置。
【請求項５】
前記印刷装置は、ＵＳＢケーブルを介して前記外部装置に電力を供給することを特徴とする請求項１乃至４のいずれか１項に記載の印刷装置。
【請求項６】
印刷装置であって、
印刷を実行する印刷手段と、
外部装置に電力を供給する電力供給手段とを備え、
前記電力供給手段が前記外部装置へ電力を供給中に前記印刷装置が印刷指示を受けた場合に、前記電力供給手段は、前記外部装置に供給する電力を減らし、
前記外部装置に供給する電力を減らした後に、前記印刷手段は、前記印刷指示に基づく印刷を実行することを特徴とする印刷装置。
【請求項７】
前記印刷指示に基づく印刷が完了した場合に、前記電力供給手段は、前記外部装置に供給する電力を元に戻すことを特徴とする請求項６に記載の印刷装置。
【請求項８】
印刷装置であって、
印刷を実行する印刷手段と、
外部装置に電力を供給する電力供給手段とを備え、
前記電力供給手段が前記外部装置へ電力を供給中に前記印刷装置が印刷指示を受けた場合に、前記電力供給手段は、前記外部装置への電力供給を停止し、
前記外部装置への電力供給を停止した後に、前記印刷手段は、前記印刷指示に基づく印刷を実行することを特徴とする印刷装置。
【請求項９】
前記印刷指示に基づく印刷が完了した場合に、前記電力供給手段は、前記外部装置への電力供給を再開することを特徴とする請求項８に記載の印刷装置。
【請求項１０】
前記電力供給手段は、ＵＳＢケーブルを介して前記外部装置に電力を供給することを特徴とする請求項６乃至９のいずれか１項に記載の印刷装置。
【請求項１１】
外部装置に電力を供給する印刷装置の制御方法であって、
前記印刷装置の状態に基づいて、前記外部装置に通知すべき給電能力を決定する決定ステップと、
前記決定ステップによって決定された前記給電能力を前記外部装置に通知する通知ステップとを備え、
前記給電能力は、供給電圧と供給電流との組み合わせを複数示し、
前記複数の組み合わせの中から前記外部装置によって選択された組み合わせに基づいて前記外部装置に電力を供給することを特徴とする制御方法。
【請求項１２】
印刷装置の制御方法であって、
印刷を実行する印刷ステップと、
外部装置に電力を供給する電力供給ステップとを備え、
前記外部装置へ電力を供給中に前記印刷装置が印刷指示を受けた場合に、前記電力供給ステップにおいて前記外部装置に供給する電力を減らし、
前記外部装置に供給する電力を減らした後に、前記印刷ステップによって前記印刷指示に基づく印刷が実行されることを特徴とする制御方法。
【請求項１３】
印刷装置の制御方法であって、
印刷を実行する印刷ステップと、
外部装置に電力を供給する電力供給ステップとを備え、
前記外部装置へ電力を供給中に前記印刷装置が印刷指示を受けた場合に、前記電力供給ステップにおいて前記外部装置への電力供給を停止し、
前記外部装置への電力供給を停止した後に、前記印刷ステップによって前記印刷指示に基づく印刷が実行されることを特徴とする制御方法。
【請求項１４】
外部装置に電力を供給する印刷装置の制御方法をコンピュータに実行させるためのプログラムであって、
前記制御方法は、
前記印刷装置の状態に基づいて、前記外部装置に通知すべき給電能力を決定する決定ステップと、
前記決定ステップによって決定された前記給電能力を前記外部装置に通知する通知ステップとを備え、
前記給電能力は、供給電圧と供給電流との組み合わせを複数示し、
前記複数の組み合わせの中から前記外部装置によって選択された組み合わせに基づいて前記外部装置に電力を供給することを特徴とするプログラム。
【請求項１５】
印刷装置の制御方法をコンピュータに実行させるためのプログラムであって、
前記制御方法は、
印刷を実行する印刷ステップと、
外部装置に電力を供給する電力供給ステップとを備え、
前記外部装置へ電力を供給中に前記印刷装置が印刷指示を受けた場合に、前記電力供給ステップにおいて前記外部装置に供給する電力を減らし、
前記外部装置に供給する電力を減らした後に、前記印刷ステップによって前記印刷指示に基づく印刷が実行されることを特徴とするプログラム。
【請求項１６】
印刷装置の制御方法をコンピュータに実行させるためのプログラムであって、
前記制御方法は、
印刷を実行する印刷ステップと、
外部装置に電力を供給する電力供給ステップとを備え、
前記外部装置へ電力を供給中に前記印刷装置が印刷指示を受けた場合に、前記電力供給ステップにおいて前記外部装置への電力供給を停止し、
前記外部装置への電力供給を停止した後に、前記印刷ステップによって前記印刷指示に基づく印刷が実行されることを特徴とするプログラム。